(57)【特許請求の範囲】
【請求項１】
ホースの端部からチューブを挿入させて成る低圧配管接続構造に用いられる板バネクランプにおいて、
上記ホースの上記端部を基準として締結位置に至るまでの寸法を規定する位置決め具を有し、この位置決め具が摺動可能なスライド部材を含むことを特徴とする板バネクランプ。
【請求項２】
ホースと、このホースの端部から挿入されるチューブと、上記ホースに上記チューブが挿入された状態で、これらのホースとチューブとを締結する板バネクランプとを備えた低圧配管接続構造において、
上記板バネクランプが、上記ホースの上記端部を基準として締結位置に至るまでの寸法を規定する位置決め具を有し、この位置決め具が摺動可能なスライド部材を含むと共に、
このスライド部材の端部を上記ホースの上記端部に一致させた状態で、上記板バネクランプで上記ホースと上記チューブとを締結して成ることを特徴とする低圧配管接続構造。
【発明の詳細な説明】
【技術分野】
【０００１】
本発明は、油圧ショベル等の作業機械を含む各種機械に備えられ、液圧用の低圧配管接続に用いられる板バネクランプ、及びこの板バネクランプを備えた低圧配管接続構造に関する。
【背景技術】
【０００２】
従来、この種の板バネクランプ及び低圧配管接続構造として特許文献１に示されるものがある。この特許文献１には、ゴム体から成るホースと、このホースの端部から挿入され、先端部がバルジ加工されたチューブと、ホースがチューブに挿入された状態で、これらのホースとチューブとを締結する板バネクランプとを備えた構成が示されている。
【特許文献１】特開平８−２１９３４９号公報
【発明の開示】
【発明が解決しようとする課題】
【０００３】
上述した従来技術では、ホースとチューブとを締結する板バネクランプの締結位置の設定は、板バネクランプを扱う作業者の経験と勘に頼っているのが現状である。このため、板バネクランプの締結位置にバラツキを生じやすい。したがって従来技術では、板バネクランプの締結位置のバラツキにより、この板バネクランプ付近の接続部分の耐圧性に変化を生じ、バラツキの程度によっては耐久性の劣化を生じ、このために良好な耐圧性を得るのが難しいのが実状であった。
【０００４】
本発明は、上述した従来技術における実状からなされたもので、その目的は、ホースとチューブとの接続部分の耐圧性を一定に保持することができる板バネクランプ及び低圧配管接続構造を提供することにある。
【課題を解決するための手段】
【０００５】
上記目的を達成するために、本発明の板バネクランプは、ホースの端部からチューブを挿入させて成る低圧配管接続構造に用いられる板バネクランプにおいて、上記ホースの上記端部を基準として締結位置に至るまでの寸法を規定する位置決め具を有し、この位置決め具が摺動可能なスライド部材を含むことを特徴としている。
【０００６】
このように構成した本発明の板バネクランプは、ホースとチューブとの接続時の締結位置の設定に際し、ホースの端部からチューブを挿入させた状態で、位置決め具のスライド部材の端部がホースの端部に一致する位置を締結位置に設定すればよい。これにより、締結位置のバラツキを抑え、これに伴ってホースとチューブとの接続部分の耐圧性を一定に保持することができる。また、締結位置の変更を生じた場合には、スライド部材を摺動させることにより、容易に変更させることができる。
【０００７】
また上記目的を達成するために、本発明の低圧配管接続構造は、ホースと、このホースの端部から挿入されるチューブと、上記ホースに上記チューブが挿入された状態で、これらのホースとチューブとを締結する板バネクランプとを備えた低圧配管接続構造において、上記板バネクランプが、上記ホースの上記端部を基準として締結位置に至るまでの寸法を規定する位置決め具を有し、この位置決め具が摺動可能なスライド部材を含むと共に、このスライド部材の端部を上記ホースの上記端部に一致させた状態で、上記板バネクランプで上記ホースと上記チューブとを締結して成ることを特徴としている。
【０００８】
このように構成した本発明の低圧配管接続構造は、板バネクランプの位置決め具の端部をホースの端部に一致させてあることから、板バネクランプの締結位置が位置決め具の長さに応じて一定となる。すなわち、板バネクランプの締結位置のバラツキが抑えられ、これに伴ってホースとチューブの接続部分の耐圧性を一定に保持することができる。また、締結位置の変更を生じた場合には、スライド部材を摺動させることにより、容易に変更させることができる。
【発明の効果】
【０００９】
本発明の板バネクランプ及び低圧配管接続構造は、板バネクランプが、ホースの端部を基準として締結位置に至るまでの寸法を規定する位置決め具を構成するスライド部材を有することから、締結位置のバラツキを抑え、ホースとチューブとの接続部分の耐圧性を一定に保持することができ、このホースとチューブとの接続部分の良好な耐圧性を確保できる。また、締結位置の変更を生じた場合には、スライド部材を摺動させることにより、容易に変更させることができる。
【発明を実施するための最良の形態】
【００１０】
以下，本発明に係る板バネクランプ及び低圧配管接続構造を実施するための最良の形態を図に基づいて説明する。
【００１１】
図１は本発明者らが考案した板バネクランプの参考例を示す斜視図、図２は図１に示す板バネクランプの参考例を用いた本発明者らが考案した低圧配管接続構造の参考例を示す横断面図である。
【００１２】
図１に示す板バネクランプの参考例は、ばね性を有する金属材料から成り、作業者によって把持可能な把持部１ａ，１ｂを備えた本体を有すると共に、この参考例によって締結されるホースの端部を基準として締結位置に至るまでの寸法を、耐圧性に関連した所定寸法に規定する位置決め具２を有する。この位置決め具２は例えば、板バネクランプ１の一部を成す板状に形成してあり、一端２ａが板バネクランプ１の本体に接続され、他端２ｂが切断面に形成されている。この位置決め具２の長さ寸法は、経験的に、あるいは実験的に、良好な耐圧性を確保し得る長さ寸法に予め設定されている。
【００１３】
図２に示す低圧配管接続構造の参考例は、たとえば油圧ショベルのオイルクーラ廻り等の油圧用の配管接続構造であり、ゴム等のホース３と、このホース３の端部３ａから挿入されるパイプ材からなるチューブ４と、これらのホース３とチューブ４とを接続する上述の図１に示す板バネクランプ１とを備えている。チューブ４は、先端部４ａがバルジ加工されていると共に、ホース３との接続の目安となる環状突起４ｂを有している。
【００１４】
例えば板バネクランプ１の把持部１ａ，１ｂを把持して、この板バネクランプ１を広げた状態でホース３の端部３ａから挿入すると共に、チューブ４の先端部４ａを環状突起４ｂがホース３の端部３ａに係止されるまで挿入し、位置決め具２の他端２ｂをホース３の端部３ａに一致させた状態で板バネクランプ１の把持部１ａ，１ｂに与えていた把持力を解除すると、この板バネクランプ１が縮み、この板バネクランプ１の締結力によって、ホース３とチューブ４とが、チューブ４のバルジ加工された先端部４ａ付近の好適な締結位置で接続される。
【００１５】
この参考例の低圧配管接続構造では、上述のようにチューブ４の先端部４ａ付近で板バネクランプ１によって締結されて接続されるので、チューブ４の先端部４ａのバルジ加工による優れたシール性を介して、ホース３とチューブ４とが板バネクランプ１によって強固に接続され、この接続部分からの漏油を生じることなく、所望の低圧油をこれらのホース３とチューブ４を介してオイルクーラ等の所定の場所に導くことができる。
【００１６】
このように構成した板バネクランプ及び低圧配管接続構造の参考例によれば、ホース３とチューブ４との接続に際し、板バネクランプ１の位置決め具２の端部２ｂをホース３の端部３ａに一致させることにより、この板バネクランプ１の締結位置がホース３の端部３ａからの好ましい耐圧性が得られる一定位置となる。すなわち、板バネクランプ１の締結位置のバラツキが抑えられ、ホース３とチューブ４との接続部分の耐圧性が一定に保持され、しかも良好な耐圧性を確保できる。
【００１７】
また、板バネクランプ１の位置決め具２の他端２ｂは切断面に形成してあるので、この位置決め具２の形状を簡単にすることができ、これによって製作費を安くすることができる。
【００１８】
図３は本発明の板バネクランプの一実施形態を示す斜視図、図４は図３に示す板バネクランプの一実施形態を用いた本発明の低圧配管接続構造の一実施形態を示す横断面図、図５は図３に示す板ばねクランプの位置決め具を構成するスライド部材の上面図である。
【００１９】
図３に示す板バネクランプの一実施形態は、位置決め具７が板バネクランプ１の本体の内側に一体に設けた案内部８と、この案内部８内に摺動可能に挿通され、ホース３の端部３ａからの所定寸法を決定する標示部、例えば目盛部９ａを有するスライド部材９とを含んでいる。その他の構成は前述した参考例と同等である。
【００２０】
図４に示す低圧配管接続構造の一実施形態は、板バネクランプが図３に示す位置決め具７を有する板バネクランプ１であると共に、ホース３に挿入されるチューブ４が参考例で示したような環状突起４ｂを備えていない構成になっている。その他の構成は前述した参考例と同等である。
【００２１】
このように構成した板バネクランプ及び低圧配管接続構造の一実施形態は、前述した参考例におけるのと同等の作用効果が得られる他、板バネクランプ１の締結位置の変更の必要を生じた場合などには、スライド部材９を摺動させることにより、容易に変更に対応させることができる。なお、案内部８を例えば柔軟な材料、あるいは形状に形成した場合には、スライド部材９を案内部８に挿通させた状態のままホース３とチューブ４とを板バネクランプ１によつて締結してもよい。この場合には、案内部８の変形に伴ってスライド部材９が押圧され、このスライド部材９が板バネクランプ１の本体から脱落することが阻止される。また、板バネクランプ１の締結位置が設定された際に、スライド部材９を案内部８から引き抜き、この引き抜かれたスライド部材９を他の板バネクランプ用に活用するようにしてもよい。
【００２２】
なお、上述した板バネクランプ及び低圧配管接続構造の参考例では、チューブ４にホース３への挿入時の目安となる環状突起４ｂを形成してあるが、チューブ４にこのような環状突起４ｂを形成しない本実施形態にあっては、位置決め具７のスライド部材９の長さを目安としてチューブ４をホース３に挿入させればよい。
【００２３】
また、上記では、位置決め具７を板状に形成してあるが、棒状に形成してもよい。また、ピアノ線等を用いて成る線状に形成してもよい。
【００２４】
また、上記では、位置決め具７を単に１つ設けた構成にしてあるが、複数設けた構成にしてもよい。
【００２５】
また、上記では、油圧用の低圧配管接続構造に適用した例を挙げたが、水圧用の低圧配管接続構造等にも適用可能である。
【図面の簡単な説明】
【００２６】
【図１】本発明者らが考案した板バネクランプの参考例を示す斜視図である。
【図２】図１に示す板バネクランプの参考例を用いた本発明者らが考案した低圧配管接続構造の参考例を示す横断面図である。
【図３】本発明の板バネクランプの一実施形態を示す斜視図である。
【図４】図３に示す板バネクランプの一実施形態を用いた本発明の低圧配管接続構造の一実施形態を示す横断面図である。
【図５】図３に示す板ばねクランプの一実施形態に備えられる位置決め具を構成するスライド部材の上面図である。
【符号の説明】
【００２７】
１    板バネクランプ
１ａ  把持部
１ｂ  把持部
３    ホース
３ａ  端部
４    チューブ
４ａ  先端部
７    位置決め具
８    案内部
９    スライド部材
９ａ  目盛部
９ｂ  一端
【図１】
0004384928.tif 000002
【図２】
0004384928.tif 000003
【図３】
0004384928.tif 000004
【図４】
0004384928.tif 000005
【図５】
0004384928.tif 000006